(57)【要約】【課題】  ボードなどにチョークで書かれた文字などを消すときに、チョーク粉が飛散しないクリーナーを提供する。【解決手段】  ホワイトボード用又は黒板用のクリーナー１１であって、該クリーナー１１は、弾性がある芯材１４の少なくとも一部を布材１５で被覆した拭取り部１２と、該拭取り部１２と一体的に形成された把持部１３とを備え、前記布材１５は、超極細分割繊維で形成されている。また、超極細分割繊維の素材比率は、ポリエステルが６０〜１００％の範囲であり、ナイロンが４０〜０％の範囲であることが望ましい。【選択図】      図１
2007055178.tif 000002
【特許請求の範囲】
【請求項１】
ホワイトボード用又は黒板用のクリーナーであって、
該クリーナーは、弾性がある芯材の少なくとも一部を布材で被覆した拭取り部と、該拭取り部と一体的に形成された把持部とを備え、
前記布材は、超極細分割繊維で形成されていることを特徴とするクリーナー。
【請求項２】
前記超極細分割繊維の素材比率は、ポリエステルが６０〜１００％の範囲であり、ナイロンが４０〜０％の範囲であることを特徴とする請求項１に記載のクリーナー。
【発明の詳細な説明】
【技術分野】
【０００１】
本発明は、ホワイトボード用又は黒板用のクリーナーに関するものであり、更に詳しくは、チョークで書かれた文字などを消すときに、チョーク粉が飛散することのないクリーナーに関するものである。
【背景技術】
【０００２】
従来、黒板に書かれた文字などを消すための黒板消しとしては、次のような構成のものが知られている。この黒板消しは、スポンジ等の芯材をコールテン等の布材で被覆して拭取り部を形成し、この拭取り部を台座に取り付けた構成である（特許文献１参照）。
【０００３】
拭取り部の布材の表面は、多数の繊維が立毛しており、この繊維が黒板面のチョーク粉を掃き出して文字などを消す働きをなすと共に、繊維の中にチョーク粉が保持されるのである。
【特許文献１】実開昭５８−１８７４９７号公報
【発明の開示】
【発明が解決しようとする課題】
【０００４】
この従来例の黒板消しにおいては、チョーク粉の保持能力が低く、その結果、黒板にチョークで書かれた文字などを拭き消すときにチョーク粉が飛散して、それを吸い込んだ場合の健康上の問題点が指摘されている。
【０００５】
一方、本願出願人は、粉が出ないチョークの白墨組成物及びその製法を特許出願しており、すでに特許第１５６５１１２号を取得している。また、その製法によって得られたクレヨンタイプのチョークであるキットパス（登録商標）が一般に市販されて好評を得ている。そこで、ソフトな感触で疲れずに楽に消せるキットパス（登録商標）専用のクリーナーの開発が望まれていた。
【０００６】
従って、従来例における黒板消しにおいては、チョーク粉の保持能力を向上させて粉の飛散を防止することに解決しなければならない課題を有している。また、ソフトな感触で疲れず楽に消せる、キットパス（登録商標）専用のクリーナーを開発する課題も有している。
【課題を解決するための手段】
【０００７】
前記従来例の課題を解決する具体的手段として本発明は、ホワイトボード用又は黒板用のクリーナーであって、該クリーナーは、弾性がある芯材の少なくとも一部を布材で被覆した拭取り部と、該拭取り部と一体的に形成された把持部とを備え、前記布材は、超極細分割繊維で形成されていることを特徴とするクリーナーを提供するものである。
【０００８】
また、前記超極細分割繊維の素材比率は、ポリエステルが６０〜１００％の範囲であり、ナイロンが４０〜０％の範囲である構成としたものである。
【発明の効果】
【０００９】
本発明に係るクリーナーは、ホワイトボード用又は黒板用のクリーナーであって、該クリーナーは、弾性がある芯材の少なくとも一部を布材で被覆した拭取り部と、該拭取り部と一体的に形成された把持部とを備え、前記布材は、超極細分割繊維で形成されていることによって、繊維の隙間に多くのチョーク粉が進入して保持される。従って、従来の繊維と比較してチョーク粉の保持能力が飛躍的に向上するので、ボードなどにチョークで書かれた文字などを拭き消すときにチョーク粉が飛散しない。
また、クリーナーを使用した後は、水などで洗って繊維の隙間に進入したチョーク粉を排出してから乾かせば何度でも繰り返して使用できるという種々の優れた効果を奏する。
【００１０】
また、超極細分割繊維の素材比率は、ポリエステルが６０〜１００％の範囲であり、ナイロンが４０〜０％の範囲であることによって、布材の表面が滑らかに形成されることとなり、ボードなどにチョークで書かれた文字などを、ソフトな感触で疲れず楽に消せるという優れた効果を奏する。
【発明を実施するための最良の形態】
【００１１】
次に、本発明の実施の形態についてその一例を図面を参照しながら説明する。まず、図１において、符号１１はクリーナーを示し、このクリーナー１１は、拭取り部１２と、この拭取り部１２を手で把持するための把持部１３とから構成される。
【００１２】
拭取り部１２は、スポンジやウレタンフォームなどの弾性を有する芯材１４の外側の一部又は全部を布材１５で被覆して形成される。そして、拭取り部１２の縦断面は台形状又は長方形状に形成されており、全体的にほぼ箱形を呈する。
【００１３】
把持部１３は、プラスチックなどの合成樹脂材又は金属材などの適宜の材料で形成されており、全体的にほぼコ字状を呈する。そして、把持部１３が拭取り部１２の上部１２ａから嵌り込んで、両側部１２ｂ、１２ｂを挟持している。
【００１４】
布材１５は、その表面に多数の繊維１６が立毛しており、図２に示すように、繊維１６の集合がループ状に形成されている。
【００１５】
また、布材１５を形成する繊維１６は、超極細分割繊維からなる。超極細分割繊維は、直径が例えば１〜３０μｍ程度の極細に形成されており、そして、図３に示すように、断面が放射状に複数に分割した状態に形成されていると共に、長さ方向に沿って多数の溝部１６ａが形成されている。
【００１６】
このように、超極細分割繊維が極細で且つ多数の溝部１６ａを有していることから、繊維１６がボード面の微細な凹凸に入り込んだチョーク粉を掃き出して文字などを消す働きをなすと共に、溝部１６ａの隙間に多くのチョーク粉１７が進入して保持されることとなる（図３参照）。従って、チョーク粉１７の保持能力が飛躍的に向上することとなり、ボードなどにチョークで書かれた文字などを拭き消すときにチョーク粉１７が飛散しないのである。
【００１７】
また、クリーナー１１を使用した後は、拭取り部１２を水などで洗って、溝部１６ａの隙間のチョーク粉１７を排出し、乾燥させれば何度でも繰り返して使用できる。
【００１８】
また、超極細分割繊維の素材比率は、ポリエステルが６０〜１００％の範囲であり、ナイロンが４０〜０％の範囲であることが望ましい。このような素材比率にすることによって、布材１５の表面が滑らかに形成されることとなり、ボードなどにチョークで書かれた文字などを、ソフトな感触で疲れず楽に消せるのである。
【産業上の利用可能性】
【００１９】
本発明のクリーナー１１は、ホワイトボート又は黒板にチョークで書かれた文字などを消すときに用いるものであるが、それ以外に、例えば、窓ガラス、家具、台所用品、家庭用品、電気製品、プラスチック製品、金属製品、又は自動車等の種々なものに付いた汚れを拭き取るときに用いることができる。
【図面の簡単な説明】
【００２０】
【図１】本発明に係るクリーナー１１の斜視図である。
【図２】布材１５の一部を拡大した状態の断面図である。
【図３】超極細分割繊維を理論的に拡大して断面を示した説明図である。
【符号の説明】
【００２１】
１１  クリーナー
１２  拭取り部
１２ａ上部
１２ｂ側部
１３  把持部
１４  芯材
１５  布材
１６  繊維
１６ａ溝部
１７  チョーク粉
【図１】
2007055178.tif 000003
【図２】
2007055178.tif 000004
【図３】
2007055178.tif 000005